(57)【要約】【課題】脱消、抗菌・防カビなどの効果を有し、しかもその効果を目視で確認することができ、実感することができる携帯用防犯ブザーを提供する。【解決手段】警報音を発する携帯用防犯ブザーであって、合成樹脂製のブザー本体１とスイッチ２を備え、ブザー本体１表面に、紫外線にて触媒作用を発揮する光触媒物質を塗布して光触媒の塗布層７を形成するとともに、紫外線に反応して変化する蛍光物質を合成樹脂に混入したスイッチ２を用いてセンサー部８としたことを特徴とするものである。【選択図】図１
2008139939.tif 000002
【特許請求の範囲】
【請求項１】
紫外線にて触媒作用を発揮する光触媒物質をブザー表面に塗布して光触媒の塗布層を形成するとともに、前記塗布層以外のブザー表面の適所に、紫外線に反応して変化する蛍光物質を塗布又は混入させたセンサー部を設けたことを特徴とする携帯用防犯ブザー。
【請求項２】
スイッチの操作によって、警報音を発する携帯用防犯ブザーであって、合成樹脂製のブザー本体とスイッチを備え、ブザー本体表面に、紫外線にて触媒作用を発揮する光触媒物質を塗布して光触媒の塗布層を形成するとともに、紫外線に反応して変化する蛍光物質を合成樹脂に混入したスイッチを用いてセンサー部としたことを特徴とする携帯用防犯ブザー。
【請求項３】
リング状のスイッチをブザー本体から突出して設け、このスイッチを、紫外線に反応して変化する蛍光物質を混入して樹脂成形することにより、センサー部とした請求項２記載の携帯用防犯ブザー。
【発明の詳細な説明】
【技術分野】
【０００１】
本発明は、非常事態を周囲の人々に知らせるとともに、犯人などを威嚇する携帯用防犯ブザーに関するものである。
【背景技術】
【０００２】
最近、小学生等の幼い子供をターゲットにした事件が多発しているため、携帯用防犯ブザーの重要性が高まっている。
通常、携帯用防犯ブザーとしては、ブザー本体にスイッチが設けられており、緊急時に、このスイッチを引き抜くと、警報音が発せられ、非常事態を知られるものが用いられている（例えば、特許文献１参照。）。
【０００３】
【特許文献１】実用新案登録第３０７３１９７号公報（第８―１３頁、図１−図３）
【発明の開示】
【発明が解決しようとする課題】
【０００４】
しかし、携帯用防犯ブザーを、小学生などに持たせると、汚い手で触る機会が多いため、ブザー表面が汚れ、ばい菌や臭いが付着するといった問題点があった。
この点を解消するために、ブザー表面に、抗菌剤や消臭剤を塗布することも考えられが、見た目では確認することができず、抗菌剤や消臭剤の効果を実感することができないといった問題点があった。
【０００５】
そこで、本発明は、このような課題を解決するためになされたものであり、脱消、抗菌・防カビなどの効果を有し、しかもその効果を目視で確認することができ、実感することができる携帯用防犯ブザーを提供することを目的とする。
【課題を解決するための手段】
【０００６】
本発明に係る携帯用防犯ブザーは、紫外線にて触媒作用を発揮する光触媒物質をブザー表面に塗布して光触媒の塗布層を形成するとともに、前記塗布層以外のブザー表面の適所に、紫外線に反応して変化する蛍光物質を塗布又は混入させたセンサー部を設けたことを特徴とするものである。
【０００７】
より具体的には、スイッチの操作によって、警報音を発する携帯用防犯ブザーであって、合成樹脂製のブザー本体とスイッチを備え、ブザー本体表面に、紫外線にて触媒作用を発揮する光触媒物質を塗布して光触媒の塗布層を形成するとともに、紫外線に反応して変化する蛍光物質を合成樹脂に混入したスイッチを用いてセンサー部としたことを特徴とするものである。
【０００８】
また、リング状のスイッチをブザー本体から突出して設け、このスイッチを、紫外線に反応して変化する蛍光物質を混入して樹脂成形することにより、センサー部としたものである方が好ましい。
【発明の効果】
【０００９】
本発明に係る携帯用防犯ブザーによれば、ブザー本体表面に、光触媒の塗布層が形成されているので、太陽光や照明光の紫外線が照射されると、酸化チタンの酸化力によって、脱臭、防汚、抗菌・防カビの効果が得られる。例えば、汚い手で触れる機会の多い小学生などにも、安心して、ブザーを持たせることができる。
それと同時に、紫外線によって、スイッチなどのセンサー部における蛍光物質の色が、紫外線の量によって変化し、紫外線の強さが確認できるとともに、光触媒が作動中であることを目視で確認して、光触媒の効果を実感することができる。
このように、上記構成のブザーを用いれば、光触媒としての効果が付加されるとともに、その効果を、センサー部によって目視で確認することができるので、光触媒の効果を実感することができ、ブザーとしての商品価値を大いに高めることができる。
【００１０】
リング状のスイッチをブザー本体から突出して設け、このスイッチを、紫外線に反応して変化する蛍光物質を混入して樹脂成形することにより、センサー部とした場合には、スイッチであるセンサー部が、ブザー本体と区別して見やすく、目視での確認が容易に行える。
【発明を実施するための最良の形態】
【００１１】
次に、本発明の実施の形態を添付図面に基づいて説明する。
図１〜図３は、本発明の実施の形態に係る携帯用防犯ブザーに関するものであり、図１は斜視図、図２は側面図であり、図３は使用状態を示す斜視図である。
【００１２】
携帯用防犯ブザーＢ（以下、単に、ブザーＢという。）は、スイッチの操作によって警報音を発するブザーであり、また、ライトとしての機能をも有するものであり、ブザー本体１に、スイッチ２と、ライト３と、このライトの点灯を行うボタンスイッチ４が設けられ、全体が合成樹脂で成形されている。
【００１３】
ブザー本体１は、図１及び図２に示すように、全体が扁平の卵形状であり、ブザーにて警報音を発する電気回路や、ライトを点灯するための電気回路が内蔵されている。そして、ブザー本体１は、先端には、リング状のスイッチ２が突出して設けられており、上面には、ランプ３が設けられ、ブザー本体１の側面には、ランプの点灯を行うボタンスイッチ４が設けられたものである。図１及び図２に示すように、スイッチ２を矢印方向に引っぱると、ブザーが作動して警報音が発せられ、また、スイッチ２を押し込んで元の位置に戻すと、ブザーが停止する。また、ボタンスイッチ４を押すと、ライト３が点灯し、手を離すとライト３が消灯される。
なお、図中の６は、キーホルダー等と連結する通孔５を有する取付板である。
【００１４】
合成樹脂製のブザー本体１表面は、紫外線にて触媒作用を発揮する酸化チタンなどの光触媒物質が塗布され、光触媒の塗布層７が形成されている。実際には、液状の酸化チタンをスプレーで吹き付け、表面に光触媒の塗布層７が形成されたブザー本体１のパーツを組み立てることにより、スイッチ２以外は光触媒物質の塗装処理が行われている。
このように、ブザー本体１表面には、光触媒の塗布層７が形成されているので、太陽光や照明光の紫外線９が照射されると、酸化チタンの酸化力によって、脱臭、防汚、抗菌・防カビの効果が得られる。
【００１５】
スイッチ２は、図１及び図２に示すように、ブザー本体１から突出して設けられたリング状の部材であり、紫外線に反応して表面の色が変化する蛍光物質（たとえば、ＵＶパウダー）を合成樹脂に混入し、また、表面に塗布することにより成形したものであり、紫外線に反応するセンサー部８として用いられる。例えば、図例のスイッチ２では、紫外線が少ない場合には、スイッチ２表面の色が白色であるが、紫外線が多くなるにつれて、黄色、ピンク色に変化する。
なお、センサー部８は、光触媒の塗布層７以外のブザー表面適所に設けることが可能であり、例えば、ボタンスイッチ４や取付板６をセンサー部８として利用することもできる。
【００１６】
そして、ブザーＢによれば、光触媒の塗布層７が形成されているので、太陽光や照明光の紫外線９が照射されると、酸化チタンの酸化力によって、脱臭、防汚、抗菌・防カビの効果が得られる。例えば、汚い手で触れる機会の多い小学生などにも、安心して、ブザーＢを持たせることができる。
それと同時に、紫外線９によって、センサー部８であるスイッチ２の蛍光物質の色が、紫外線の量によって、白色から黄色、ピンク色と変化し、紫外線の強さが確認できるとともに、光触媒が作動中であることを目視で確認することにより、光触媒の効果を実感することができる。
【００１７】
このように、上記構成のブザーＢを用いれば、光触媒としての効果が付加されるとともに、その効果を、センサー部８によって目視で確認することができるので、光触媒の効果を実感することができ、ブザーＢとしての商品価値を大いに高めることができる。
特に、上記構成のブザーＢであれば、ブザー本体１から突出したリング状のスイッチ２をセンサー部８としているので、ブザー本体１と区別して見やすく、センサー部８の目視での確認がより容易になる。また、リング状のスイッチ２によって、操作が簡単に行える。
【図面の簡単な説明】
【００１８】
【図１】携帯用防犯ベルの斜視図である。
【図２】携帯用防犯ベルの側面図である。
【図３】携帯用防犯ベルの使用状態を示す斜視図である。
【符号の説明】
【００１９】
Ｂ  携帯用防犯ベル
１  ブザー本体
２  スイッチ
３  ライト
４  ボタンスイッチ
５  通孔
６  取付板
７  光触媒の塗布層
８  センサー部
９  紫外線
【図１】
2008139939.tif 000003
【図２】
2008139939.tif 000004
【図３】
2008139939.tif 000005